(57)【要約】  【課題】    Ｌ字型床材切断用定規を提供すること。  【解決手段】  シート状に形成された階段踏み面部(ａ)に対して略Ｌ字型に形成された階段用ステップ材(ｂ)が一体化された熱可塑性樹脂製の階段用表面被覆材(Ｓ)をカッターナイフ(Ｃ)で切断する際に当該カッターナイフを宛がうための定規であって、定規本体(１１)の一部に、略Ｌ字型に形成された階段用ステップ材(ｂ)の階段蹴上げ部(ｂ1)にほぼ沿うように立ち上がっている山形挟み込み部(１２)を備えてなり、階段用ステップ材(ｂ)の階段蹴上げ部(ｂ1)を山形挟み込み部(１２)内に挟み込んだ状態で定規本体(１１)の縁端(１’)に沿ってカッターナイフ(Ｃ)を宛がって切断する。  【選択図】    図１
0003112051.tif 000002
【実用新案登録請求の範囲】
【請求項１】
シート状に形成された階段踏み面部に対して略Ｌ字型に形成された階段用ステップ材が一体化された熱可塑性樹脂製の階段用表面被覆材をカッターナイフで切断する際に当該カッターナイフを宛がうための定規であって、定規本体の一部に、前記略Ｌ字型に形成された階段用ステップ材の階段蹴上げ部にほぼ沿うように略山形に立ち上がり形成された山形挟み込み部を備えてなり、前記階段用ステップ材の階段蹴上げ部を上記山形挟み込み部内に挟み込んだ状態で定規本体の縁端に沿ってカッターナイフを宛がうことを特徴とするＬ字型床材切断用定規。
【請求項２】
前記山形挟み込み部を境にして階段用表面被覆材の階段踏み面部上に配置される踏み面カット部とそれ以外の部分との間にほぼ階段踏み面部の厚み分に相当する段差を設けてなる請求項１記載のＬ字型床材切断用定規。
【考案の詳細な説明】
【技術分野】
【０００１】
本考案は、屋内外の階段部分に施工される熱可塑性樹脂製の階段用表面被覆材を階段の横幅に合わせて切断するときに使用される切断用定規に関し、更に詳しくは、シート状に形成された階段踏み面部に対して略Ｌ字型に形成された階段用ステップ材が一体化された熱可塑性樹脂製の階段用表面被覆材をカッターナイフで切断する際にカッターナイフを宛がうためのＬ字型床材切断用定規に関するものである。
【０００２】
なお、本考案に係るＬ字型床材切断用定規は、上記した階段用表面被覆材に限らず、へり等にＬ字形の立ち上がりを有する熱可塑性樹脂製床材やその他の樹脂製部材等、通常カッターナイフで切断される部材を切断する際にも使用可能であることは容易に理解されるだろう。
【背景技術】
【０００３】
図１に示す如く、シート状に形成された階段踏み面部ａに対して略Ｌ字型に形成された階段用ステップ材ｂが一体化されてなる熱可塑性樹脂製の階段用表面被覆材ＳをカッターナイフＣで切断する場合、平らで比較的柔らかい階段踏み面部ａはカッターナイフＣで簡単に切断することができるが、略Ｌ字型に形成された階段用ステップ材ｂの部分は、切断時において階段蹴上げ部ｂ1が上向きもしくは下向きに突出し、加えて耐摩耗性が必要なことから比較的硬くしかも場合によっては他の部分よりも厚く形成されていることと相俟って、カッターナイフＣでしかも真っ直ぐに切断することが非常に難しかった。
【０００４】
しかも現場では、略Ｌ字型に形成された階段用ステップ材の部分を切断する際に、当該部分に直定規を上から押し付けながらカッターナイフで切断していた為、略Ｌ字型に形成された階段用ステップ材が変形してしまうことがあった。
尚、本願出願人が知っている上記の先行技術は文献公知考案に係るものではないため、本願明細書には先行技術文献情報を開示しない。
【考案の開示】
【考案が解決しようとする課題】
【０００５】
本考案はこのような現状に鑑みてなされたものであり、平らな階段踏み面部だけでなく略Ｌ字型に形成された階段用ステップ材の部分の断面形状にもほぼ沿わせた状態でカッターナイフを宛がうことが出来、その結果、略Ｌ字型に形成された階段用ステップ材から階段踏み面部にわたり定規本体の縁端に沿って容易に且つ真っ直ぐに切断することが出来るＬ字型床材切断用定規を提供せんとするものである。
【課題を解決するための手段】
【０００６】
斯かる目的を達成する本考案のＬ字型床材切断用定規は、シート状に形成された階段踏み面部に対して略Ｌ字型に形成された階段用ステップ材が一体化された熱可塑性樹脂製の階段用表面被覆材をカッターナイフで切断する際に当該カッターナイフを宛がうための定規であって、定規本体の一部に、前記略Ｌ字型に形成された階段用ステップ材の階段蹴上げ部にほぼ沿うように略山形に立ち上がり形成された山形挟み込み部を備えてなり、前記階段用ステップ材の階段蹴上げ部を上記山形挟み込み部内に挟み込んだ状態で定規本体の縁端に沿ってカッターナイフを宛がうことを特徴としたものである（請求項１）。
この際、前記山形挟み込み部を境にして階段用表面被覆材の階段踏み面部上に配置される踏み面カット部とそれ以外の部分との間にほぼ階段踏み面部の厚み分に相当する段差を設けることが好ましい（請求項２）。
【考案の効果】
【０００７】
本考案に係るＬ字型床材切断用定規は斯様に、定規本体の一部に、略Ｌ字型に形成された階段用ステップ材の階段蹴上げ部にほぼ沿うように略山形に立ち上がり形成された山形挟み込み部を備えてなるので、階段用ステップ材の階段蹴上げ部を定規本体の山形挟み込み部内に挟み込むようにして定規本体を階段用表面被覆材の上に置くことにより、カッターナイフを宛がうための縁端を、平らな階段踏み面部だけでなく略Ｌ字型に形成された階段用ステップ材の外形形状にも連続的に沿わせることができ、従って平らな階段踏み面部は勿論のこと、略Ｌ字型に形成された階段用ステップ材（階段蹴上げ部）もその断面形状にほぼ沿わせた状態でカッターナイフを宛がうことが可能となり、その結果、略Ｌ字型に形成された階段用ステップ材から階段踏み面部にわたり階段用表面被覆材を定規本体の縁端に沿って容易に且つ真っ直ぐに切断することが出来る。
【０００８】
しかも、定規本体の縁端にカッターナイフを宛がいながら階段用表面被覆材を切断するときに、階段用ステップ材の階段蹴上げ部を挟み込む山形挟み込み部が、当該定規本体を押え支持するための取手の役目を果たすので、階段用表面被覆材を軽便に切断することが出来る。
【０００９】
また、特に請求項２に記載のＬ字型床材切断用定規によれば、上記山形挟み込み部を境にして階段用表面被覆材の階段踏み面部上に配置される踏み面カット部とそれ以外の部分との間にほぼ階段踏み面部の厚み分に相当する段差を設けてなるので、階段用表面被覆材の上に定規本体を置いたときに、階段用表面被覆材の階段踏み面部上に配置される踏み面カット部とそれ以外の部分との段差が解消されて定規本体の全体がほぼ水平状となる。
従って、定規本体の縁端にカッターナイフを宛がいながら移動させる際に定規本体が安定し、より一層のこと真っ直ぐに切断し易くなる。
【考案を実施するための最良の形態】
【００１０】
以下、本考案の具体的な好適実施例を図面を参照しながら詳細に説明するが、本考案は図示実施例のものに限定されるものではない。
図中の符号１は本考案に係る床材切断用定規を示し、符号Ｓは本案定規１を宛がいカッターナイフＣにより階段の横幅に応じて切断される階段用表面被覆材を示す。
【００１１】
階段用表面被覆材Ｓは、塩化ビニル樹脂等の熱可塑性樹脂を用いて、比較的柔らかくシート状に形成される階段踏み面部ａと、階段踏み面部ａよりは硬く耐摩耗性を備えた略Ｌ字型に形成された階段用ステップ材ｂとが一連に接合一体化されて形成され、敷設される階段の横幅に応じて施工現場においてカッターナイフＣで切断される。
【００１２】
更に、階段用ステップ材ｂは、敷設される階段の蹴上げ部分に回り込むように配置される階段蹴上げ部ｂ1と、階段の踏み面側に回り込んで階段踏み面部ａに接合一体化される段鼻部ｂ2とで断面略Ｌ字形に形成され、階段踏み面部ａが当該階段用ステップ材ｂの長手方向に５〜５０ｍｍ幅で平行に接合一体化される。
なお、この階段用表面被覆材Ｓの詳細構造は、例えば特開２００４−１９３２０に開示されている。
【００１３】
本考案に係る床材切断用定規１は、上記した階段用表面被覆材ＳをカッターナイフＣで切断する際に当該カッターナイフＣを縁端１’に宛がうためのものであり、ステンレス材，アルミニウム材，鉄材等からなる金属製板、或いはアクリル樹脂，塩化ビニル樹脂等からなる樹脂製板などを用いて、厚みが0.3〜５ｍｍで、幅３０〜１５０ｍｍ、好ましくは８０〜１２０ｍｍ、長さ２５０〜１１００ｍｍの細長い帯板形状に形成すると共に、定規本体１１の一部に、略Ｌ字型に形成された階段用ステップ材ｂの階段蹴上げ部ｂ1にほぼ沿うように略山形に立ち上がり形成された山形挟み込み部１２を備えてなる。
【００１４】
山形挟み込み部１２は、略Ｌ字型に形成された階段用ステップ材ｂの階段蹴上げ部ｂ1を挟み込んで納めるためのものであり、定規本体１１の一部を長手方向と直行する方向に側面視略逆Ｖ字形に折り曲げて形成される。
この際、山形挟み込み部１２は、階段用ステップ材ｂの階段蹴上げ部ｂ1を挟み込んで納めるのに十分な高さＨ1（３０〜１００ｍｍ、好ましくは５０〜７０ｍｍ）に形成されると共に、その内部に階段用ステップ材ｂの階段蹴上げ部ｂ1を挟み込んだときに、階段蹴上げ部ｂ1に対して特に開く方向に無理な力が掛からないように、階段用表面被覆材Ｓの階段踏み面部ａ上に配置される踏み面カット部１３側に少し傾斜させた状態に折り曲げて形成する。具体的には、図２中の角αを７５°〜８５°の範囲、好ましくは８０°とし、角βを９５°〜１２５°の範囲、好ましくは１２０°に設定することが好ましい。
【００１５】
また、定規本体１１には、山形挟み込み部１２を境にして階段用表面被覆材Ｓの階段踏み面部ａ上に配置される踏み面カット部１３とそれ以外の部分１４との間に、ほぼ階段踏み面部ａの厚み分に相当する段差Ｈ2を設けるようにする。具体的に、この段差Ｈ2は、階段用表面被覆材Ｓの階段踏み面部ａの厚さに応じて１〜１０ｍｍの範囲、好ましくは３〜５ｍｍの範囲に設定する。
更に、定規本体１１の裏面、特に踏み面カット部１３及び部分１４の裏面にゴムや発泡体などから形成された滑り止め(図示せず)を設置することが好ましい。そうすれば、階段用表面被覆材Ｓ切断時の安定性を向上させることが出来る。
【００１６】
また、踏み面カット部１３の長さＬ1は、階段用表面被覆材Ｓの階段踏み面部ａの長さより少し長く形成する。すなわち、踏み面カット部１３の長さＬ1は階段踏み面部ａの長さに応じて３５０〜４５０ｍｍ程度とし、山形挟み込み部１２の開口長さＬ2は５〜１５ｍｍ程度とし、そして部分１４の長さＬ3は５０〜１５０ｍｍ程度とし、定規本体１１の全長Ｌ4を２００〜１０００ｍｍ程度に形成することが望ましい。
なお、上記部分１４は必ずしもなくともよいが、部分１４が存在することにより、階段用表面被覆材Ｓの切断時において山形挟み込み部１２を取手として利用する際の補強効果を発揮し、階段用表面被覆材Ｓ切断時の安定性を向上させることが出来る。
【図面の簡単な説明】
【００１７】
【図１】本考案実施の一例を示す斜視図。
【図２】同側面図。
【符号の説明】
【００１８】
１：床材切断用定規              １’：縁端
１１：定規本体                    １２：山形挟み込み部
１３：踏み面カット部              １４：部分
Ｓ：階段用表面被覆材              ａ：階段踏み面部
ｂ：階段用ステップ材            ｂ1：階段蹴上げ部
ｂ2：段鼻部
Ｃ：カッターナイフ
【図１】
0003112051.tif 000003
【図２】
0003112051.tif 000004